(57)【特許請求の範囲】
【請求項１】
防カビ剤と潮解性を持つ成分と界面活性剤を混合し前記防カビ剤を前記潮解性を持つ成分に分散させその潮解性を与えられた前記防カビ剤を添着した防カビ抗菌抗ウイルスフィルター。
【発明の詳細な説明】
【０００１】
【発明の属する技術分野】
本発明は、空気中に浮遊しているカビ・細菌・ウイルスを捕集し、捕集したカビ・細菌を死滅させ、ウイルスを不活化し、空気浄化を行う防カビ抗菌抗ウイルスフィルターに関するものである。
【０００２】
【従来の技術】
近年、病院・食品工場などでカビ・細菌汚染や、人が多く集まる所でのインフルエンザウイルスの空気感染をもたらしており、カビ・細菌・ウイルスを捕集し、死滅・不活化させ、空気を清浄化させることが望まれている。
【０００３】
また、一般にカビ・細菌を中心とする微生物を死滅させることは、行われているが、人体に病気をもたらす微生物としては、ウイルスを中心とするものが多く、病院・学校・老人ホームのような抵抗力の弱い人が多く集まる建物の空気の浄化にウイルスを不活化する機能が要望されている。
【０００４】
以下、その構成について図４を参照しながら説明する。図４に示すように、集塵フィルターユニット１０１には、不織布ろ材１０２がプリーツ状もしくは、平板状で設けてある。不織布ろ材１０２には、ガラス繊維・ポリプロピレン等の不織布が用いられ、不織布ろ材１０２の表面には、防カビ剤・抗菌剤が添着してあるものもあった。集塵フィルターユニット１０１は、空調機・送風機を用いて通風され、大気粉塵や室内の粉塵が不織布ろ材１０２で捕集された。
【０００５】
捕集された粉塵内には、カビ・細菌・ウイルスも含まれ、不織布ろ材１０２にカビ・細菌・ウイルスが堆積し、繁殖する恐れがあった。
【０００６】
また、不織布１０２に防カビ剤・抗菌剤が添着してあるものは、カビ・細菌を死滅させるものもあった。
【０００７】
また、この様な不織布の防カビ剤には、有機窒素系・硫黄系、有機酸エステル、有機ヨウ素系イミダゾール化合物、ベンザゾール化合物、抗菌剤には、銀系・亜鉛系、アルコール系フェノール系、第４アンモニウム塩、安息香酸類、過酸化水素、クレゾール、クロルヘキシジン、イルガサン、アルデヒド類、ソルビン酸等の薬剤を、一般的には使用していた。
【０００８】
【発明が解決しようとする課題】
このような従来の集塵フィルターユニットでは、空調機等を長時間運転すると、不織布表面に粉塵が堆積していく。不織布ろ材表面に添着している防カビ性を有する素材・抗菌性を有する素材・抗ウイルス性を有する素材は、堆積した粉塵表面のカビを死滅・不活化する効果が弱く、フィルター表面に堆積したカビの繁殖する恐れがあった。
【０００９】
本発明は、このような従来の課題を解決するもので、粉塵に防カビ剤が潮解し、積極的に死滅・不活化させることを目的としている。
【００１０】
【課題を解決するための手段】
上記課題を解決するための本発明の防カビ抗菌抗ウイルスフィルターは、防カビ剤と潮解性を持つ成分と界面活性剤を混合し前記防カビ剤を前記潮解性を持つ成分に分散させその潮解性を与えられた前記防カビ剤を添着した防カビ抗菌抗ウイルスフィルターとしたものである。
【００１１】
【発明の実施の形態】
本発明の請求項１に記載の発明は、防カビ剤に界面活性剤と緑茶あるいは、紅茶成分から分離精製した潮解性を持つ抽出成分を混合し分散し、潮解性を持たせた防カビ性を有する素材とする防カビ抗菌抗ウイルスフィルターとしたものであり、防カビ抗菌抗ウイルスフィルター表面に堆積した粉塵に積極的に溶け込み、防カビ抗菌抗ウイルスフィルター表面のカビの発生を防止し、防カビ抗菌抗ウイルスフィルターの交換、及びメンテナンス時のカビの２次感染を防止するという作用を有する。
【００１２】
【実施例】
（参考例１）
図１は、フィルターろ材を示し、図１において防カビ抗菌抗ウイルスフィルター１は不織布１０２の防カビ剤２と抗菌剤３と抗ウイルス剤４を備え、カビ・細菌・ウイルスは、死滅・不活化される。上記構成により、防カビ抗菌抗ウイルスフィルター１は空気を浄化し、真菌症・細菌感染・インフルエンザ等のウイルス感染を予防するという作用を行うこととなる。
【００１３】
詳述すると、図１に示すように、防カビ抗菌抗ウイルスフィルター１には、防カビ性を有する素材２と抗菌性を有する素材３と抗ウイルス性を有する素材４を添着している。防カビ性を有する素材２としては、ベンゾール化合物、抗菌性を有する素材３としては、銀系の無機物質、抗ウイルス性を有する素材４としては、植物抽出物のフラボノイド類を使用している。
【００１４】
防カビ抗菌抗ウイルスフィルター１は、不織布１０２に銀系無機物０．０１〜１０ｇ／ｍ2 を添着した後、植物抽出成分を純水に溶かし、０．１〜１０ｗｔ％の水溶液を調製し、この水溶液に浸し、軽く脱水後乾燥する。その後、ベンゾール化合物を純水に溶かし、０．１〜１０ｗｔ％の水溶液を調製し、この水溶液に乾燥したものを浸し、軽く脱水後乾燥したものである。
【００１５】
上記、銀系無機物は、０．０１ｇ／ｍ2 以上の量を添着しないとフィルターからの抗菌性能が現れず、１０ｇ／ｍ2以上を添着すると、フィルターの不織布繊維を覆い、不織布の捕集性能を低下させたり、フィルターから脱離するため、この濃度で添着することが望ましい。
【００１６】
上記、ベンゾール化合物は、０．１ｗｔ％以上の量を添着しないとフィルターからの防カビ性能が低く、耐久性能が弱くなる。また、１０ｗｔ％以上を添着すると、フィルターの不織布より臭いが発生したり、不織布繊維ろ材を潰し、不織布の捕集性能を低下させたり、フィルターから脱離するため、この濃度で添着することが望ましい。
【００１７】
上記、植物抽出成分のフラボノイド類は、０．１ｗｔ％以上の量を添着しないとフィルターからの抗ウイルス性能が低く、耐久性能が弱くなる。また、１０ｗｔ％以上を添着すると、フィルターの不織布繊維を覆い、不織布の捕集性能を低下させたり、フィルターから脱離するため、この濃度で添着することが望ましい。
【００１８】
また、有機系物質と無機系物質とフラボノイド類は、各物質を混合したときに反応性が低いものが望ましい。
【００１９】
また、カビ・細菌・ウイルスの死滅・不活化を促進させる効果が得られる。例えば、有機物質にも１部のウイルスを不活化させる効果があり、無機物質にも１部のウイルスを不活化する効果が有り、フラボノイド類にも、１部のカビ・細菌を死滅させる効果がある。
【００２０】
上記構成において、図示はしていないが、集塵フィルターユニット１０１は空調機や送風機により送風され、室内もしくは室外のカビ・細菌・ウイルスを含んだ汚れた空気が防カビ抗菌抗ウイルスフィルター１に通風される。このとき、カビ・細菌・ウイルスは、防カビ抗菌抗ウイルスフィルター１に捕集され、防カビ抗菌抗ウイルスフィルター１に付着している防カビ剤・抗菌剤・抗ウイルス剤により死滅・不活化され、清浄な空気だけが、室内に送られる。
【００２１】
なお、防カビ剤・抗菌剤・抗ウイルス剤の添着順番は、変わってもよい。なお、防カビ抗菌抗ウイルスフィルター１の不織布１０２には、中性能フィルター、高性能フィルター、ＨＥＰＡフィルター、エレクトレットフィルターなどの捕集性能を有したフィルター素材を用いることができる。
【００２２】
なお、各溶剤を樹脂に練りこみ、練り込んだ樹脂を不織布１０２に添着してもよい。
【００２３】
なお、各溶剤を樹脂に練り込み、練り込んだ樹脂で不織布１０２を作製してもよい。
【００２４】
なお、防カビ剤は、有機窒素系・硫黄系、有機酸エステル、有機ヨウ素系イミダゾール化合物、植物精油、チアベンゾール化合物を使用してもよい。
【００２５】
なお、抗菌剤は、亜鉛系、アルコール系 フェノール系、第４アンモニウム塩、安息香酸類、過酸化水素、クレゾール、クロルヘキシジン、イルガサン、アルデヒド類、ソルビン酸、植物精油を使用してもよい。
【００２６】
なお、抗ウイルス剤は、銀系、アルコール系、アルデヒド類、植物精油を使用してもよい。
【００２７】
（参考例２）
図１は、フィルターろ材を示し、図１において防カビ抗菌抗ウイルスフィルター１は不織布１０２の防カビ剤２と抗菌剤３と抗ウイルス剤４を備え、抗菌剤３と抗ウイルス剤４として茶の抽出成分を用いるもので、カビ・細菌・ウイルスは、死滅・不活化される。上記構成により、防カビ抗菌抗ウイルスフィルター１は空気を浄化し、フィルター作製やフィルター交換時に抗菌・抗ウイルス素材が脱離して飛散し、作業者が吸い込んでも人体影響が少なく、フィルター加工者や防カビ抗菌抗ウイルスフィルターの交換、メンテナンス時の作業者の安全性を向上させるという作用を行うこととなる
【００２８】
詳述すると、図には示していないが、防カビ抗菌抗ウイルスフィルター１は、茶（緑茶・紅茶・ウーロン茶等）の抽出成分と防カビ性を有する素材２を添着した不織布で構成されている。
【００２９】
防カビ抗菌抗ウイルスフィルター１は、不織布１０２に茶の抽出成分を純水に溶かし、０．１〜１０ｗｔ％の水溶液を調製し、この水溶液に浸し、軽く脱水後乾燥する。その後、ベンゾール化合物を純水に溶かし、０．１〜１０ｗｔ％の水溶液を調製し、この水溶液に乾燥したものを浸し、軽く脱水後乾燥したものである。
【００３０】
上記、茶の抽出成分は、０．１ｗｔ％以上の量を添着しないとフィルターからの抗菌・抗ウイルス性能が低く、耐久性能が弱くなる。また、１０ｗｔ％以上を添着すると、フィルターの不織布繊維を覆い、不織布の捕集性能を低下させたり、フィルターから脱離するため、この濃度で添着することが望ましい。
【００３１】
上記、ベンゾール化合物は、０．１ｗｔ％以上の量を添着しないとフィルターからの防カビ性能が低く、耐久性能が弱くなる。また、１０ｗｔ％以上を添着すると、フィルターの不織布より臭いが発生したり、不織布繊維ろ材を潰し、不織布の捕集性能を低下させたり、フィルターから脱離するため、この濃度で添着することが望ましい。
【００３２】
上記茶の抽出成分は、抗ウイルス性能を有し、また、大腸菌・黄色ブドウ球菌等の一般細菌にも抗菌性能を有したもので、不織布１０２に添着することで、抗菌・抗ウイルス性を同時に付加する事ができ、銀系無機物を使用せず、工業的に容易に作製でき、天然素材のため、人にやさしく、加工時や添着後に、不織布から抗菌・抗ウイルス剤が脱離しても安全なものが提供できる。
【００３３】
（参考例３）
図１は、フィルターろ材を示し、図１において防カビ抗菌抗ウイルスフィルター１は不織布１０２の防カビ剤２と抗菌剤３と抗ウイルス剤４を備え、抗菌剤３と抗ウイルス剤４として、エピガロカテキンガレード、エピカテキンガレード、エピガロカテキン、エピカテキン（＋）カテキンおよびこれらの属性体、遊離型エアフラビン、エアフラビンモノガレードＡ、エアフラビンモノガレードＢ並びにエアフラビンジガレードの中から選ばれた少なくとも１種の物質を用いるもので、カビ・細菌・ウイルスは、死滅・不活化される。上記構成により、防カビ抗菌抗ウイルスフィルター１は空気を浄化し、フィルターに堆積した粉塵内の細菌・ウイルスを効率良く死滅・不活化するという作用を行うこととなる。
【００３４】
詳述すると、図には示していないが、防カビ抗菌抗ウイルスフィルター１は、抗菌・抗ウイルス剤を緑茶あるいは、紅茶成分から分離精製した抽出成分のエピガロカテキンガレード、エピカテキンガレード、エピガロカテキン、エピカテキン（＋）カテキンおよびこれらの属性体、遊離型エアフラビン、エアフラビンモノガレードＡ、エアフラビンモノガレードＢ並びにエアフラビンジガレードの中から選ばれた少なくとも１種の物質とし、防カビ性を有する素材２を添着した不織布で構成されている。
【００３５】
防カビ抗菌抗ウイルスフィルター１は、不織布１０２に緑茶あるいは、紅茶成分から分離精製した抽出成分を純水に溶かし、０．０５〜５ｗｔ％の水溶液を調製し、この水溶液に浸し、軽く脱水後乾燥する。その後、ベンゾール化合物を純水に溶かし、０．１〜１０ｗｔ％の水溶液を調製し、この水溶液に乾燥したものを浸し、軽く脱水後乾燥したものである
【００３６】
上記、緑茶あるいは、紅茶成分から分離精製した抽出成分は、０．０５ｗｔ％以上の量を添着しないとフィルターからの抗菌・抗ウイルス性能が低く、耐久性能が弱くなる。また、５ｗｔ％以上を添着すると、フィルターの不織布繊維を覆い、不織布の捕集性能を低下させたり、フィルターから脱離するため、この濃度で添着することが望ましい。
【００３７】
上記抗菌・抗ウイルス剤は、緑茶あるいは、紅茶成分から分離精製した抽出成分では、不純物があるため、精製した茶ポリフェノールにすることで、効率的に細菌・ウイルスを死滅・不活化することができ、茶ポリフェノールは潮解性が高く、堆積した粉塵の細菌・ウイルスの死滅・不活化を促進でき、空調機からのカビ・細菌・ウイルスを取り除いた浄化された空気が提供できる。
【００３８】
また、空調機等のメンテナンス時にも、防カビ抗菌抗ウイルスフィルター１から抗ウイルス・抗菌剤が飛散しても問題ない。
【００３９】
（参考例４）
図１は、フィルターろ材を示し、図１において防カビ抗菌抗ウイルスフィルター１は不織布１０２の防カビ剤２と抗菌剤３と抗ウイルス剤４を備え、防カビ性を有する素材を抗菌剤・抗ウイルス剤と分散性の高い防カビ剤とするもので、カビ・細菌・ウイルスは、死滅・不活化される。上記構成により、防カビ抗菌抗ウイルスフィルター１は空気を浄化し、不織布添着加工作業者に付着した時に、簡単に洗い流すことができ、加工作業者の安全性を向上させ、工業的にも扱いやすくするという作用を行うこととなる。
【００４０】
詳述すると、防カビ抗菌抗ウイルスフィルター１は、不織布に防カビ性を有する素材２を抗菌剤・抗ウイルス剤と分散性の高いベンゾール化合物とし、ベンゾール化合物と抗菌・抗ウイルス剤を添着した不織布で構成されている。
【００４１】
防カビ抗菌抗ウイルスフィルター１は、不織布１０２に緑茶あるいは、紅茶成分から分離精製した抽出成分を純水に溶かし、０．０５〜５ｗｔ％の水溶液を調製し、この水溶液に浸し、軽く脱水後乾燥する。その後、ベンゾール化合物を純水に溶かし、０．１〜１０ｗｔ％の水溶液を調製し、この水溶液に乾燥したものを浸し、軽く脱水後乾燥したものである。
【００４２】
上記分散性の高い防カビ剤とは、抗菌剤・抗ウイルス剤と混合した際に、乳化・凝集が起こらないものである。また、不織布より、いやな臭いの発生を防止し、フィルターの繊維を傷め難いものである。
【００４３】
上記反応性の低い防カビ剤を使用することで効率的にカビを死滅することができ、工業的に加工性がよく簡単に作製できるフィルターが提供できる。
【００４４】
なお、一般に多く使用されているチアベンゾール溶剤を使用してもよい。なお、この分散性の高い防カビ剤は、抗菌・抗ウイルス剤と反応性が低く、各溶剤の効果を低下させないものが望ましい。
【００４５】
（参考例５）
図２は、フィルター構造を示し、図２において防カビ抗菌抗ウイルスフィルター１は不織布１０２に防カビ性を有する素材を添着した防カビフィルター５と抗菌・抗ウイルス性を有する素材を添着した抗菌抗ウイルスフィルター６を積層し、カビ・細菌・ウイルスは、死滅・不活化される。上記構成により、防カビ抗菌抗ウイルスフィルター１は、カビ・細菌・ウイルスを効率良く捕集し、カビ・細菌の死滅・ウイルスの不活化する性能が増加し、フィルター交換寿命を延ばすという作用を行うこととなる。
【００４６】
詳述すると、図２に示すように、防カビ抗菌抗ウイルスフィルター１は、目の粗い不織布（中性能フィルターもしくは、高性能フィルター）に防カビ性を有する素材２を添着し、乾燥した防カビフィルター５と、目の細かい不織布に抗菌性を有する素材３と抗ウイルス性を有する素材４を添着し、乾燥した抗菌・抗ウイルスフィルター６を積層したものである。
【００４７】
防カビ性を有する素材２としては、ベンゾール化合物、抗菌性を有する素材３と抗ウイルス性を有する素材４としては、紅茶成分から分離精製した抽出成分を使用している。
【００４８】
防カビフィルター５は、ベンゾール化合物を０．１〜１０ｗｔ％水溶液を添着し、乾燥したフィルターで、抗菌・抗ウイルスフィルター６は、目の細かい不織布（高性能フィルターもしくは、ＨＥＰＡ・ＵＬＰＡ）に抗菌・抗ウイルス剤を添着し、乾燥したものである。
【００４９】
防カビ抗菌抗ウイルスフィルター１は、通風される空気に対して、前段に防カビフィルター５、後段に抗菌・抗ウイルスフィルター６とする
【００５０】
上記構成において、室内もしくは室外のカビ・細菌・ウイルスを含んだ汚れた空気が防カビ抗菌抗ウイルスフィルター１に通風される。このとき、カビは、前段の防カビフィルター５で捕集され死滅され、細菌やウイルスは後段の抗菌・抗ウイルスフィルター６により捕集され、死滅・不活化される。
【００５１】
また、一般的にカビ直径（粒径）は、０．５μｍ以上で、細菌・ウイルスは、０．０１〜０．８μｍと大きさが異なることから、例えば、前段の防カビ剤を添着した不織布を中性能フィルターや高性能フィルターに、後段の抗菌・抗ウイルス剤を添着した不織布を高性能フィルターやＨＥＰＡフィルター・ＵＬＰＡフィルターに用いる。
【００５２】
防カビ抗菌抗ウイルスフィルター１のカビ・細菌・ウイルスの捕集性能が向上し、確実に死滅・不活化でき、防カビ抗菌抗ウイルスフィルター１の捕集性能を強化し、防カビ抗菌抗ウイルスフィルター１の交換時期を延長できる。
【００５３】
（参考例６）
図１は、フィルターろ材を示し、図１において防カビ抗菌抗ウイルスフィルター１は不織布１０２の防カビ剤２と抗菌剤３と抗ウイルス剤４を備え、防カビ剤２と抗菌剤３と抗ウイルス剤４を混合し、不織布１０２に添着して作製されたもので、カビ・細菌・ウイルスは、死滅・不活化される。上記構成により、防カビ抗菌抗ウイルスフィルター１は空気を浄化し、不織布の添着が容易にでき、品質管理を簡単にできるという作用を行うこととする。
【００５４】
詳述すると、図には示していないが、防カビ抗菌抗ウイルスフィルターは、ベンゾール化合物を０．１〜１０ｗｔ％と抗菌・抗ウイルス剤を０．１〜１０ｗｔ％の水溶液を調製し、この水溶液に不織布を浸し、軽く脱水後乾燥するものである。ベンゾール化合物と抗菌・抗ウイルス剤は、反応性が低く、添着時に混合することができる。
【００５５】
上記構成より、カビ・細菌・ウイルスは不織布により捕集され、死滅・不活化され、防カビ・抗菌・抗ウイルス性能を同時に不織布に添着する事ができるため、工業的に容易に作製でき、低コストの防カビ抗菌抗ウイルスフィルターを提供できる。
【００５６】
なお、分散剤を混合して防カビ剤・抗菌剤・抗ウイルス剤を混合できるようにしてもよい。
【００５７】
（実施例１）
図１は、フィルターろ材を示し、図１において防カビ抗菌抗ウイルスフィルター１は不織布１０２の防カビ剤２と抗菌剤３と抗ウイルス剤４と図には示していないが界面活性剤を備え、カビ・細菌・ウイルスは、死滅・不活化される。上記構成により、防カビ抗菌抗ウイルスフィルター１は空気を浄化し、堆積した粉塵に積極的に溶け込み、フィルター表面のカビ・細菌・ウイルスの発生を防止し、フィルターの交換、及びメンテナンス時のカビ・細菌・ウイルスの２次感染を防止するという作用を行うこととする。抗菌・抗ウイルス剤は、緑茶あるいは、紅茶成分から分離精製した抽出成分では、不純物があるため、精製した茶ポリフェノールにすることで、効率的に細菌・ウイルスを死滅・不活化することができ、茶ポリフェノールは潮解性が高く、堆積した粉塵の細菌・ウイルスの死滅・不活化を促進でき、空調機からのカビ・細菌・ウイルスを取り除いた浄化された空気が提供できる。
【００５８】
詳述すると、ベンゾール化合物と界面活性剤を混合することで緑茶あるいは、紅茶成分から分離精製した抽出成分に分散しやすくなり、抗菌・抗ウイルス剤である緑茶あるいは、紅茶成分から分離精製した抽出成分の持つ潮解性をベンゾール化合物に与え、潮解性の高い防カビ性を有する素材とする。防カビ剤であるベンゾール化合物に、潮解性を持たせることとなる。
【００５９】
防カビ抗菌抗ウイルスフィルターは、ベンゾール化合物を０．１〜１０ｗｔ％と抗菌・抗ウイルス剤である緑茶あるいは、紅茶成分から分離精製した抽出成分を純水に溶かし、０．０５〜５ｗｔ％と界面活性剤を０．０１ｗｔ％以上の水溶液を調製し、この水溶液に不織布を浸し、軽く脱水後乾燥するものである。すなわち、ベンゾール化合物と界面活性剤と抗菌・抗ウイルス剤である緑茶あるいは、紅茶成分から分離精製した抽出成分を混合することで、緑茶あるいは、紅茶成分から分離精製した潮解性を持つ抽出成分に分散しやすくなり、緑茶あるいは、紅茶成分から分離精製した抽出成分の持つ潮解性をベンゾール化合物に与え、潮解性の高い防カビ性を有する素材とする。防カビ剤であるベンゾール化合物に、潮解性を持たせることとなる。
【００６０】
上記構成より、長時間空調機を運転した時、防カビ抗菌抗ウイルスフィルターより防カビ・抗菌・抗ウイルス剤が溶出し、フィルター表面に堆積した粉塵内のカビ・細菌・ウイルスを死滅・不活化することができ、高い死滅・不活化性能を維持し、フィルター交換時期を延ばした防カビ抗菌抗ウイルスフィルターを提供できる。
【００６１】
なお、界面活性剤としては、防カビ剤の分散性を高める溶剤であればよい。なお、抗菌剤・抗ウイルス剤の分散性を高める界面活性剤でもよい。抗菌・抗ウイルス剤として、緑茶あるいは、紅茶成分から分離精製した抽出成分がある。
【００６２】
（参考例７）
図３は、フィルターろ材断面を示し、図３において防カビ抗菌抗ウイルスフィルター１は不織布１０２表面に防カビ剤２を塗布し、防カビ剤の表面に抗菌・抗ウイルス剤７を備え、カビ・細菌・ウイルスは、死滅・不活化される。上記構成により、防カビ抗菌抗ウイルスフィルター１は空気を浄化し、必要最小限の溶剤にすることで生産性を向上させるという作用を行うこととなる。
【００６３】
詳述すると、図３に示すように、防カビ抗菌抗ウイルスフィルター１は、不織布ろ材１０２に防カビ性を有する素材２であるベンゾール化合物を０．１〜１０ｗｔ％水溶液を塗布した後、抗菌・抗ウイルス性を有する素材７である茶の抽出成分を０．１〜１０ｗｔ％水溶液に不織布１０２を浸し、軽く脱水後乾燥するものである。
【００６４】
上記構成より、不織布ろ材１０２に付いた防カビ性を有する素材２の上面に抗菌・抗ウイルス性を有する素材７が付着し、抗菌・抗ウイルス性を有する素材７に付着したカビは、抗菌・抗ウイルス性を有する素材７の下部にある防カビ性を有する素材２により死滅され、細菌・ウイルスは、抗菌・抗ウイルス性を有する素材７により死滅・不活化される。
【００６５】
一般的にカビの直径（粒径）は、０．５μｍ以上で、細菌・ウイルスは、０．０１〜０．８μｍと大きさが異なることから、カビの方が、不織布ろ材に捕集されやすく、また、不織布に接触する割合も大きくなる。したがって、抗菌・抗ウイルスの接触の割合を大きくする必要があり、不織布に防カビ性を有する素材２を塗布した後に抗菌・抗ウイルス性を有する素材７を塗布すると細菌やウイルスの接触する割合を増加させ、カビとの接触をも確実にできる。
【００６６】
不織布に防カビ性を有する素材２を先に塗布することで、抗菌・抗ウイルス性を有する素材７と不織布上で馴染み易く、不織布に添着する量を必要最小限にすることができる。
【００６７】
【発明の効果】
以上のように本発明によれば、防カビ剤と潮解性を持つ成分と界面活性剤を混合し前記防カビ剤を前記潮解性を持つ成分に分散させその潮解性を与えられた前記防カビ剤を添着することで、粉塵に堆積したカビに染み込み、フィルター表面での微生物の増殖を防止する効果が得られる。
【図面の簡単な説明】
【図１】本発明の実施例１および参考例１乃至４、６による防カビ抗菌抗ウイルスフィルターを示す図
【図２】  本発明の参考例５による防カビ抗菌抗ウイルスフィルターを示す構造図
【図３】  本発明の参考例７による防カビ抗菌抗ウイルスフィルターを示す構造図
【図４】  従来の集塵フィルターの構造を示す概要図
【符号の説明】
１ 防カビ抗菌抗ウイルスフィルター
２ 防カビ剤
３ 抗菌剤
４ 抗ウイルス剤
５ 防カビフィルター
６ 抗菌・抗ウイルスフィルター
７ 抗菌・抗ウイルス剤
１０１ 集塵フィルターユニット
１０２ 不織布ろ材
【図１】
0003712790.tif 000002
【図２】
0003712790.tif 000003
【図３】
0003712790.tif 000004
【図４】
0003712790.tif 000005